(57)【要約】【課題】指針と表示部との間から光が漏れない表示装置を提供する。【解決手段】光源３と、光源３から出射された光によって照明される指針１と、指針１の背後に所定距離を隔てて配置された表示板２と、指針１に延びる筒状の導光体８と、指針１と表示板２との間に配置されるカラー部材４とを備え、カラー部材４は、正面視で光源３の光を遮光する。これにより、出射部８２から出射した光は、光源３の真上に位置する遮光内壁４３によって覆われているので、遮光内壁４３によって光源３から指針４に向かう光の輝度を調整することができる。【選択図】図１
2014185880.tif 000002
【特許請求の範囲】
【請求項１】
光源と、前記光源から出射された光によって照明される指針と、前記指針の背後に所定距離を隔てて配置された表示板と、前記指針に延びる筒状の光透過性部材と、前記指針と前記表示板との間に配置される遮光部材と、を備えたことを特徴とする表示装置。
【請求項２】
光源と、前記光源から出射された光によって照明される指針と、前記指針の背後に所定距離を隔てて配置された導光表示板と、前記指針に延びる筒状の光透過性部材と、前記指針と前記表示板との間に配置される遮光部材と、を備えたことを特徴とする表示装置。
【請求項３】
前記遮光部材は、フランジ部と、前記フランジ部から前記指針側に延びる立壁と、前記立壁から前記遮光部材の内側に向かって突出した遮光内壁を有することを特徴とする請求項１及び２に記載の表示装置。
【請求項４】
前記遮光内壁は、正面視で前記光源の光を遮光するように前記光源を覆うことを特徴とする請求項３に記載の表示装置。
【発明の詳細な説明】
【技術分野】
【０００１】
本発明は、光源から出射された光を導光体にて導光して指針を照明する表示装置に関する。
【背景技術】
【０００２】
従来、表示板上で回動する指針を光透過性の部材から形成し、表示板の背後に光源を配置し、この光源からの照明光を表示板の貫通孔を通じて指針に供給し、指針自体を光輝させる表示装置が知られている。
【先行技術文献】
【特許文献】
【０００３】
【特許文献１】特開２０１３−４４６２１号公報
【発明の概要】
【発明が解決しようとする課題】
【０００４】
しかしながら、上記特許文献１に開示されている表示装置では、指針の照明輝度が高すぎる場合、光の輝度を調整するには、導光体の形状や指針の受光部の形状を変えることが考えられるが、設計が複雑になるなど改良の余地があった。
【０００５】
本発明は、上述のような問題を解決するためになされたものであり、指針を照明する光の輝度を調整することができる表示装置を提供することを目的とする。
【課題を解決するための手段】
【０００６】
本発明は、光源と、前記光源から出射された光によって照明される指針と、前記指針の背後に所定距離を隔てて配置された表示板と、前記指針に延びる筒状の光透過性部材と、前記指針と前記表示板との間に配置される遮光部材とを備えたものである。
【０００７】
また、本発明は、光源と、前記光源から出射された光によって照明される指針と、前記指針の背後に所定距離を隔てて配置された導光表示板と、前記指針に延びる筒状の光透過性部材と、前記指針と前記表示板との間に配置される遮光部材とを備えたものである。
【０００８】
また、本発明は、前記遮光部材は、フランジ部と、前記フランジ部から前記指針側に延びる立壁と、前記立壁から前記遮光部材の内側に向かって突出した遮光内壁を有するものである。
【０００９】
また、本発明は、  前記遮光内壁は、正面視で前記光源の光を遮光するように前記光源を覆うものである。
【発明の効果】
【００１０】
本発明に係る表示装置によれば、指針を照明する光の輝度を調整することができる表示装置を提供することができる。
【図面の簡単な説明】
【００１１】
【図１】本発明の実施形態に係る表示装置の断面図。
【図２】本発明の実施形態に係るカラー部材の正面図。
【図３】本発明の実施形態に係る表示装置の断面図。
【発明を実施するための形態】
【００１２】
以下、本発明の実施形態に係る表示装置を、図１から図３に基づいて説明する。表示装置は、指針１と、表示板２と、光源３と、カラー部材４と、駆動本体５と、指針軸６と、ケース体７と、導光体８と、回路基板９と、から主に構成されている。
【００１３】
指針１は、ポリカーボネートやアクリル合成樹脂からなる透光性の指針本体１０と、この指針本体１０の回動中心領域Ｒの前方及びその周囲を覆って背後が開口する、黒色系の遮光性合成樹脂からなる遮光性部材であるキャップ形の遮光性カバー１１と、指針本体１０の回動中心領域Ｒの背後（図１中、指針本体１０の下側）に固定され、黒色系の遮光性合成樹脂からなる円盤形の基部１２とからなる。
【００１４】
表示板２は、透明な合成樹脂からなる基材の表面に、所定色からなり目盛、文字、マーク等を形成する透光性の着色印刷層と、この着色印刷層の周囲を囲むように目盛、文字、マーク等の背景となる地色印刷層とを備え（図示しない）、前記地色印刷層は、本実施例では黒色系の着色インクを用いて形成されている。また、表示板２は指針軸６及び指針本体１の受光部１３に対応する領域に貫通孔状の透光部２１を備えている。
【００１５】
光源３は、表面実装可能な発光ダイオードであり、指針軸６の周囲に設けられている。
【００１６】
カラー部材４は、不透過性の材料で形成されており、本実施例では、黒色などの合成樹脂からなり、表示板２の透光部２１の周縁を囲んで、かつ、その先端が遮光性カバー１１に向けて延びる筒状の壁部４１と、この壁部４１の下端外周部より透光部２１の周囲に突出して表示板２の表面に当接するフランジ４２と、壁部４１の下端より指針軸６に向かって伸長した遮光内壁４３とから構成されている。なお、壁部４１は、その先端部が遮光性カバー１１内に入り込んでいる。
【００１７】
遮光内壁４３は、図３に示すように、正面視で光源３の光を遮光するようにカラー部材４の内側に設けられているものであって、光源３からの光を遮光するのであれば、その形状は任意であり、例えば指針軸６に偏心した形状や、楕円や円などの形状や、単数または複数の光源に対応した形状であってもよい。
【００１８】
また、カラー部材４は、導光体８と係合する係合部４４を有し、係合部４４と導光体８の図示しない係合片とが係合されることによって、カラー部材４は、導光体８に固定される。また、表示板２がカラー部材４と導光体８との間に配置されていることから、表示板の透光部２１がカラー部材４と導光体８とで挟まれるように固定されることで、表示板８の浮き上がりを防止することができる。
【００１９】
導光体８は、透光性の合成樹脂から形成され、光源３から出射した光を受光する受光部８１と、導光体８内を導光された光を受光部１３に出射する出射部８２とを有している。
【００２０】
以上、本実施形態に係る表示装置は、光源３と、光源３から出射された光によって照明される指針１と、指針１の背後に所定距離を隔てて配置された表示板２と、指針１に延びる筒状の導光体８と、指針１と表示板２との間に配置されるカラー部材４とを備え、カラー部材４は、フランジ部と、フランジ部から前記指針側に延びる立壁と、前記立壁から前記遮光部材の内側に向かって突出した遮光内壁を有することによって、カラー部材４は、正面視で光源３の光を遮光する。これにより、出射部８２から出射した光は、光源３を覆うような位置に形成された遮光内壁４３によって遮光され、光源３から指針４に向かう光の輝度を調整することができる。
【００２１】
また、上記実施形態では、カラー部材４は、導光体８に配置されるフランジ部４２と、フランジ部４２から指針側６に延びる立壁４１と、立壁４１からカラー部材の内側に向かって突出した遮光内壁４３を有する。これにより、出射部８２から出射した光は、光源３の真上に位置する遮光内壁４３によって覆われているので、遮光内壁４３によって光源３から指針４に向かう光の輝度を調整することができる。
【００２２】
また、カラー部材４は、図３に示すように、遮光内壁４３が、壁部４１の上端より指針軸６に向かって伸長した形状としても同様の効果を得ることができる。
【００２３】
なお、表示板２は、導光表示板を用いることも可能となる。導光表示板は、図示しないが、透光性の導光部と、この導光部の表面に意匠を表示する意匠表示部と、光を拡散する光拡散部と、導光部の表面を覆う表面低屈折率部と、導光部の裏面を覆う裏面低屈折率部と、を備える。図１、２に示すように、導光体を通過する光は、指針方向と導光文字板方向へ出射し、同一の光源によって指針と導光表示板とが照明される。
【符号の説明】
【００２４】
１      指針
２      表示板
３      光源
４      カラー部材（遮光部材）
５      駆動本体
６      指針軸
７      ケース体
８      導光体（光透過性部材）
９      回路基板
１０    指針本体
１１    遮光性カバー
１２    基部
１３    受光部
２１    透光部
４１    壁部
４２    フランジ部
４３    遮光内壁
８１    受光部
８２    出射部
【図１】
2014185880.tif 000003
【図２】
2014185880.tif 000004
【図３】
2014185880.tif 000005